(57)【特許請求の範囲】
【請求項１】
カード搬送路に情報記憶カードを搬送しつつその情報記憶部にアクセスヘッドをもってアクセスして情報の授受を行うためのリーダライタのカード幅寄せ構造であって、
前記カード搬送路の一方の側縁に前記情報記憶カードを滑らせてガイドするカード基準面が形成され、
前記カード搬送路の他方の側縁にて前記情報記憶カードの一側縁に当接するように設けられ、かつ前記情報記憶カードをその搬送方向と直交する幅方向であって前記カード基準面に押圧するべくばね手段をもって付勢された押圧部材を有し、
前記アクセスヘッドが前記押圧部材と一体をなすと共に、
前記情報記憶カードの搬送方向に沿う前記押圧部材の長さが、前記情報記憶カードの搬送方向に沿う前記アクセスヘッドの長さに略等しいことを特徴とするリーダライタのカード幅寄せ構造。
【発明の詳細な説明】
【０００１】
【発明の属する技術分野】
本発明は、情報記憶力ードのリーダライタに於けるカード幅寄せ構造に関するものである。
【０００２】
【従来の技術】
従来から、カード搬送路に情報記憶カードを搬送しつつ、カードに設けられた磁気ストライプやバーコード、ホログラムなどからなる情報記憶部にアクセスヘッドをもってアクセスして情報の授受を行うためのリーダライタに於て、上記ヘッドをカードのデータトラック上に確実に走査させるためにカードの幅寄せ構造が設けられている。これは実際にはヘッドの位置をカードの一側縁から一定の距離に保たせるべくこれと相反する側縁側から押圧するものである。
【０００３】
従来のリーダライタの要部構造の一例を図３（ａ）、図３（ｂ）、図４（ａ）、図４（ｂ）に示す。リーダライタ本体のケーシング１内には図３（ａ）に於ける右から左に情報記憶カードＣを搬送するためのカード搬送路１ａが画定されている。また、カード搬送路１ａの中間部にはアクセスヘッド２２が該搬送路を臨むように設けられている。このアクセスヘッド２２は、カードＣの主面に向けて近接／離反する方向にのみ移動可能なように支持部材２３を介してケーシング１に支持され、かつカードＣの主面に向けて近接する方向にばね２４をもって付勢されている。アクセスヘッド２２と対向する位置には、ヘッドローラ３が回転自在に軸支されている。ヘッドローラ３を軸支する軸部材４は、ケーシング１に支持されると共に図示されないモータにより駆動されるようになっている。更に軸部材４の先端には搬送ローラ５が設けられ、更にこの搬送ローラ５と対向する位置には板ばね７によりカード搬送路１ａに向けて付勢されたプレッシャローラ６が設けられている。カード搬送路１ａの後流側、即ち図３（ａ）の左側には、軸部材８がケーシング１に支持され、この軸部材８の先端には搬送ローラ９が設けられている。軸部材８の基端側にはプーリ１３が設けられ、同じく軸部材４の基端に設けられたプーリ１０及びベルト１１を介して上記図示されないモータにより駆動されるようになっている。搬送ローラ９と対向する位置には板ばね１５によりカード搬送路１ａに向けて付勢されたプレッシャローラ１４が設けられている。
【０００４】
一方、カード搬送路１ａの一方の側縁は比較的精度良く形成されたカード基準面１ｂをなしている。また、カード搬送路１ａの他方の側縁にはカードＣの搬送方向全長に亘るカード押圧部材２６が、カードの搬送方向と略直行するカードＣの幅方向に移動可能に、支持部２７をもって傾動可能に支持されている。このカード押圧部材２６は、ばね２８、２９をもってカード搬送路１ａ内に向けてカードＣを付勢するようになっている。これは、ヘッド２２がカードＣの情報記憶部に正対するように、カードＣの一方の端縁をカード基準面１ｂに押しつけ、カード基準面１ｂと上記カードＣの情報記憶部との距離を一定に保つためである。
【０００５】
実際にカードＣを搬送するには、押圧部材２６をもってカードＣをカード搬送路１ａのカード基準面１ｂに押しつけつつ搬送ローラ５とプレッシャローラ６、搬送ローラ９とプレッシャローラ１４をもって挟んで図３（ａ）の右から左に搬送する。
【０００６】
【発明が解決しようとする課題】
しかしながら、ばね２５、２６及びカード押圧部材２４によるカードの幅寄せカが大きすぎるとうまくカードが搬送されず、また各搬送ローラ５、９による搬送カが大きすぎると、場合によってはカード基準面１ｂからカードＣが離れてしまうことから、搬送力とカードの幅寄せカとを約り合わせてカードの幅寄せを実現しなければならず、各ばねの荷重管理が厄介であった。また、搬送カが幅寄せカに対してできるだけ影響しないように、互いにできるだけ垂直に力が生じるように配慮する必要がある。即ち、搬送ローラの軸線方向のカード基準面に対する垂直度も比較的精密に管理する必要があり、組み付け及びメンテナンスが厄介になりがちであった。更に、上記釣り合いの関係から幅寄せ力が大きくなると、摩擦負荷も増加し、カードや押圧部材の磨耗が問題となるばかりでなく、紙力一ドやＰＥＴカードのような比較的薄いカードでは座屈変形の心配が生じることも考えられる。
【０００７】
本発明は上記したような従来技術の問題点に鑑みなされたものであり、その主な目的は、簡単な構造をもって組み立て時やメンテナンス時の位置合わせやばねの荷重管理を簡便化すると共にカードの搬送を阻害することなくカードへのアクセスヘッドの位置合わせを確実に行い得るリーダライタのカード幅寄せ構造を提供することにある。
【０００８】
【課題を解決するための手段】
上述した目的は本発明によれば、カード搬送路に情報記憶カードを搬送しつつその情報記憶部にアクセスヘッドをもってアクセスして情報の授受を行うためのリーダライタのカード幅寄せ構造であって、前記カード搬送路の一方の側縁に前記情報記憶カードを滑らせてガイドするカード基準面が形成され、前記カード搬送路の他方の側縁にて前記情報記憶カードの一側縁に当接するように設けられ、かつ前記情報記憶カードをその搬送方向と直交する幅方向であって前記カード基準面に押圧するべくばね手段をもって付勢された押圧部材を有し、前記アクセスヘッドが前記押圧部材と一体をなすと共に、前記情報記憶カードの搬送方向に沿う前記押圧部材の長さが、前記情報記憶カードの搬送方向に沿う前記アクセスヘッドの長さに略等しいことを特徴とするリーダライタのカード幅寄せ構造を提供することにより達成される。
【０００９】
【発明の実施の形態】
以下に、本発明の好適な実施形態について添付の図面を参照して詳しく説明する。
【００１０】
図１（ａ）〜図１（ｃ）、図２（ａ）及び図２（ｂ）に本発明が適用されたリーダライタの要部構造を示す。リーダライタ本体のケーシング１内には図１（ａ）に於ける右から左に、磁気ストライプやバーコード、ホログラムなどからなる情報記憶部がその主面に設けられた情報記憶カードＣを搬送するためのカード搬送路１ａが画定されている。また、カード搬送路１ａの中間部には後記するベース部材１８と一体をなすアクセスヘッド２が該搬送路を臨むように設けられている。アクセスヘッド２と対向する位置には、ヘッドローラ３が回転自在に軸支されている。ヘッドローラ３を軸支する軸部材４は、ケーシング１に支持されると共に図示されないモータにより駆動されるようになっている。更に軸部材４の先端には搬送ローラ５が設けられ、更にこの搬送ローラ５と対向する位置には板ばね７によりカード搬送路１ａに向けて付勢されたプレッシャローラ６が設けられている。カード搬送路１ａの後流側、即ち図２（ａ）の左側には、軸部材８がケーシング１に支持され、この軸部材８の先端には搬送ローラ９が設けられている。軸部材８の基端側にはプーリ１３が設けられ、同じく軸部材４の基端に設けられたプーリ１０及びベルト１１を介して上記図示されないモータにより駆動されるようになっている。搬送ローラ９と対向する位置には板ばね１５によりカード搬送路１ａに向けて付勢されたプレッシャローラ１４が設けられている。
【００１１】
一方、カード搬送路１ａの一方の側縁は精度よりも滑りを優先して形成されたカード基準面１ｂをなしている。また、カード搬送路１ａの他方の側縁には、カードＣの主面と直交する方向及びカードＣの略幅方向に所定の範囲で傾動可能にピン１７をもって支持されたベース部材１８と一体をなすカード押圧部材１６が設けられている。ここで、上記したようにベース部材１８とアクセスヘッド２とも一体をなすことから、即ちベース部材１８を介してアクセスヘッド２とカード押圧部材１６とは一体をなしている。カード押圧部材１６は、カードの搬送方向に沿う長さが概ねアクセスヘッド２と同じ長さとなっている。また、ベース部材１８は、ばね１９、２０をもってアクセスヘッド２がカードＣの主面に近接する方向及びカード押圧部材１６がカードＣの一方の側縁に当接する方向に付勢されている。これにより、アクセスヘッド２がカードＣの主面に確実に当接し、またカード押圧部材１６がカードＣの一側縁に確実に当接してカードＣの情報記憶部とアクセスヘッド２とが確実に正対する。
【００１２】
実際にカードＣを搬送するには、カード押圧部材１６をカードＣの一側縁に当接させつつ搬送ローラ５とプレッシャローラ６、搬送ローラ９とプレッシャローラ１４をもって挟んで図２（ａ）の右から左に搬送する。
【００１３】
尚、カード押圧部材１６がカードＣの一側縁に確実に当接していればカードＣの情報記憶部とアクセスヘッド２とが確実に正対することから、ばね２０によるその付勢力は小さくて良く、またアクセスヘッド２の位置でカードＣが位置決めされていれば良いことからカード押圧部材１６の長さもアクセスヘッド２の長さと同程度以上あれば良い。
【００１４】
【発明の効果】
以上の説明により明らかなように、本発明によるリーダライタのカード幅寄せ構造によれば、カード搬送路にて情報記憶カードをその搬送方向と直行する幅方向に押圧するべくばね手段をもって付勢された押圧部材を有し、アクセスヘッドがこの押圧部材と一体をなすことにより、カードの情報記憶部とアクセスヘッドとの位置合わせが確実、かつ容易になり、またこれをカードの搬送に対して殆ど影響なく行うことができることから、カード搬送方向と直行する幅方向に押圧するばねの付勢力を小さくでき、紙カ一ドやＰＥＴカードのような比較的薄いカードでも座屈変形の心配がない。また、従来のような搬送ローラの軸線方向のカード基準面に対する垂直度の管理も必要がなくなり、組み付け時やメンテナンス時の各部の位置決め、ばねの負荷管理が容易になる。
【図面の簡単な説明】
【図１】（ａ）は本発明が適用されたリーダライタの要部構造を示す平面図、（ｂ）は（ａ）のＩ−Ｉ線について見た側断面図、（ｃ）は底面図。
【図２】（ａ）は図１（ｂ）のＩＩ−ＩＩ線について見た断面図、（ｂ）は図１（ａ）のＩＩＩ−ＩＩＩ線について見た断面図。
【図３】（ａ）は従来のリーダライタの要部構造を示す平面図、（ｂ）は（ａ）のＩＶ−ＩＶ線について見た側断面図。
【図４】（ａ）は図３（ａ）の底面図、（ｂ）は図３（ａ）のＶ−Ｖ線について見た断面図。
【符号の説明】
１  ケーシング
１ａ  カード搬送路
１ｂ  カード基準面
２  アクセスヘッド
３  ヘッドローラ
４  軸部材
５  搬送ローラ
６  プレッシャローラ
７  板ばね
８  軸部材
９  搬送ローラ
１０  プーリ
１１  ベルト
１３  プーリ
１４  プレッシャローラ
１５  板ばね
１６  カード押圧部材
１７  ピン
１８  ベース部材
１９、２０  ばね
２２  アクセスヘッド
２３支持部材
２４  ばね
２６  カード押圧部材
２７  支持部
２８、２９  ばね
【図１】
0003824707.tif 000002
【図２】
0003824707.tif 000003
【図３】
0003824707.tif 000004
【図４】
0003824707.tif 000005